(57)【要約】【課題】  筒状のカバー部材の内周側に直線状の蛍光ランプが配置された照明器具において、非発光領域を少なくすることにある。【解決手段】  この照明器具１は、筒状の円筒パイプ３と、蛍光ランプ５とを備えている。蛍光ランプ５は、円筒パイプ３の内周側に軸方向に延びて配置されるとともに、円筒パイプ３の全軸方向領域にわたる発光領域を有する。【選択図】      図２
0003109924.tif 000002
【実用新案登録請求の範囲】
【請求項１】
筒状のカバー部材と、
前記カバー部材の内周側に軸方向に延びて配置されるとともに、前記カバー部材の全軸方向領域にわたる発光領域を有する蛍光ランプと、
を備えた照明器具。
【請求項２】
前記蛍光ランプの軸方向両端部に隣接して配置され、一方が電子安定器を内蔵する２つのソケットをさらに備えた、請求項１に記載の照明器具。
【請求項３】
前記カバー部材の軸方向両端部の内周側に配置され、外力を受けて軸方向に変形可能な複数の弾性部材をさらに備えた、請求項１又２に記載の照明器具。
【請求項４】
前記弾性部材はスポンジを材質とする、請求項３に記載の照明器具。
【請求項５】
前記カバー部材の内周部に嵌合可能な外径を有し、前記蛍光ランプと前記弾性部材との間に配置される緩衝板をさらに備えた、請求項３又は４に記載の照明器具。
【考案の詳細な説明】
【技術分野】
【０００１】
本考案は、照明器具に関する。
【背景技術】
【０００２】
従来の照明器具として、直線状の蛍光ランプと、蛍光ランプに対し軸方向に隣接して配置される安定器、スタータ（グローランプ）等と、蛍光ランプの外周を覆うよう配置されるカバー部材とを備えたものが知られている。
【０００３】
関連する技術として、例えば、特許文献１に示すようなものが既に提案されている。
【特許文献１】特開２００４−１３４１２４号公報
【考案の開示】
【考案が解決しようとする課題】
【０００４】
上記従来の照明器具では、安定器等が蛍光ランプの軸方向に隣接して配置されることから、照明器具の軸方向領域の一部の領域は発光しない非発光領域となっている。特に、銅鉄型安定器が採用された照明器具では、安定器が配置されるスペースとして比較的長い領域を要するため、その分だけ照明器具全体としての非発光領域が生じることとなる。
【０００５】
また、この種の照明器具では、蛍光ランプは、管径の小さなものでも３２ｍｍ程度と比較的太く、照明器具全体としても径が大きならざるを得ない。
【０００６】
本考案の目的は、筒状のカバー部材の内周側に直線状の蛍光ランプが配置された照明器具において、非発光領域を少なくすることにある。
【課題を解決するための手段】
【０００７】
請求項１に係る照明器具は、筒状のカバー部材と、蛍光ランプとを備えている。蛍光ランプは、カバー部材の内周側に軸方向に延びて配置されるとともに、カバー部材の全軸方向領域にわたる発光領域を有する。
【０００８】
この照明器具では、蛍光ランプがカバー部材の全軸方向領域にわたる発光領域を有することから、カバー部材の全面から光が照射されるようになる。
【０００９】
なお、本考案において、全軸方向にわたる発光領域とは、厳密にカバー部材の全軸方向領域と同じ長さの発光領域に限られず、蛍光ランプがカバー部材の軸方向長さに比べ保持用部材（例えば、後述する電子安定器内蔵ソケット、防水キャップ、弾性部材、緩衝板等）を配置するのに必要な長さだけ短い場合における発光領域も含まれる。また、発光領域には、後述するような蛍光ランプの軸方向両端部の取付金具によって発光が遮られるに過ぎない領域も含まれる。
【００１０】
請求項２に係る照明器具は、請求項１の照明器具において、蛍光ランプの軸方向両端部に隣接して配置され、一方が電子安定器を内蔵する２つのソケットをさらに備えている。
【００１１】
この照明器具では、具体的に、一方が電子安定器を内蔵する２つのソケットを用いたことにより、蛍光ランプの軸方向両側に要するスペースが僅かで済み、これにより、全軸方向領域から光が照射されるようになる。
【００１２】
請求項３に係る照明器具は、請求項１又は２の照明器具において、カバー部材の軸方向両端部の内周側に配置され、外力を受けて軸方向に変形可能な複数の弾性部材をさらに備えている。
【００１３】
この照明器具では、落下したときの衝撃等により外力が作用しても、その軸方向成分は弾性部材によって吸収されるので、蛍光ランプの破損等を免れることができる。
【００１４】
請求項４に係る照明器具は、請求項３の照明器具において、弾性部材はスポンジを材質とする。
【００１５】
この照明器具では、スポンジの吸水性を利用して、カバー部材の内側に水分が進入するのを抑え、防水効果を得ることができる。
【００１６】
請求項５に係る照明器具は、請求項３又は４の照明器具において、カバー部材の内周部に嵌合可能な外径を有し、蛍光ランプと弾性部材との間に配置される緩衝板をさらに備えている。
【００１７】
この照明器具では、緩衝板は、カバー部材の内周に嵌合されるので、カバー部材に対し径方向の外力が作用した場合でも、カバー部材が凹んだり内側に配置されたソケット等の損傷したりするのを回避できる。
【００１８】
また、この照明器具では、蛍光ランプには、弾性部材からの反発力が緩衝板の片側の面を介して均一に作用するので、弾性部材における蛍光ランプに接触する部分のみが凹んでしまうのを回避できる。
【００１９】
さらに、この照明器具では、弾性部材は、蛍光ランプからの熱を直接受けずに済むので、熱変形が抑制される。
【考案の効果】
【００２０】
本考案によれば、蛍光ランプがカバー部材の全軸方向領域にわたる発光領域を有することから、カバー部材の全面から光が照射されるようになる。
【考案を実施するための最良の形態】
【００２１】
図１及び図２に、本考案の一実施形態が採用された照明器具１を示す。
【００２２】
また、図３乃至図５に、照明器具１の要部又は一部の構成部材を示す。
【００２３】
この照明器具１は、円筒パイプ３（カバー部材）と、蛍光ランプ５と、２つのソケット７と、スポンジ部材９（弾性部材）と、スポンジストッパー１１（緩衝板）と、２つの防水キャップ１３と、電源コード１５とを備えている。
【００２４】
円筒パイプ３は、透明な材質で構成された円筒状部材であり、材質としては、ポリカーボネート樹脂、ポリエチレンテレフタレート樹脂等が好ましく用いられる。円筒パイプ３は、ソケット７等の保持用部材を配置するのに必要な長さだけ、蛍光ランプ５より長く形成される。
【００２５】
蛍光ランプ５は、円筒パイプ３の内周側に軸方向に延びて配置される直線状の部材であり、ガラス製の本体部５ａの軸方向両端部に、ソケット７に取り付けられるアルミニウム製の取付金具５ｂが設けられている。ここで用いられる蛍光ランプ５は、具体的に、管径が１２ｍｍ若しくは１６ｍｍ程度のもの（以下、それぞれT-4型及びT-5型という）が好ましく用いられる。
【００２６】
２つのソケット７は、共に蛍光ランプ５の両端部を保持するためのものであり、円筒パイプ３の軸方向両端部の内周側に配置されている。そして、一方のソケット７（ここでは、図２において左側のソケット）には、電子安定器（図示せず）が内蔵されており、従来の照明器具における銅鉄型安定器を内蔵した部分に比べ、軸方向長さが短くなっている。
【００２７】
スポンジ部材９は、円筒パイプ３の内径と同程度の外径を有する円筒状のスポンジ製部材であり、円筒パイプ３の軸方向両端部の内側に嵌合的に配置される。ここで用いられるスポンジとしては、照明器具１が落下して外力を受けた場合に、蛍光ランプ５が損傷するのを回避しうる程度の空隙率等を有するとともに、一定の吸水性を有するものが好ましく用いられる。また、一方（図２おいて左方）のスポンジ部材９には、電源コード１５が通るための貫通孔９ａが設けられている。
【００２８】
スポンジストッパー１１は、円筒パイプ３の内周部に嵌合可能な外径を有する円板状部材であり、蛍光ランプ５とスポンジ部材９との軸方向間に配置される。スポンジストッパー１１の材質としては、ポリカーボネート樹脂、ポリエチレンテレフタレート樹脂等が好ましく用いられる。また、一方（図２おいて左方）のスポンジストッパー１１には、電源コード等が通るための貫通孔１１ａが設けられている。
【００２９】
防水キャップ１３は、外部からの水分の浸水を回避するためのものであり、円筒パイプ３の軸方向両端部に取り付けられる。防水キャップ１３は、ゴム製のものが好ましく用いられる。また、一方（図２おいて左方）の防水キャップ１３には、電源コード１５が通るための貫通孔（図示せず）が設けられている。
【００３０】
電源コード１５は、外部からの電力を蛍光ランプ５に供給するためのものであり、スポンジストッパー１１の貫通孔１１ａを通ってソケット７に連結されている。電源コード１５は、先端部に防水型の電源プラグ１５ａを有している。
【００３１】
次に、照明器具１の使い方について説明する。
【００３２】
この照明器具１を使う場合は、電源プラグ１５ａを所定のコンセントに差し込むことで、外部の電力を蛍光ランプ５に供給し、蛍光ランプ５を点灯させる。
【００３３】
このような照明器具１では、蛍光ランプ５が円筒パイプ３の全軸方向領域にわたる発光領域を有することから、円筒パイプの全面から光が照射される。具体的には、この照明器具１では、ソケット７として電子安定器を内蔵するタイプのものを用いたことにより、従来のように銅鉄型安定器等を用いた場合に比べ蛍光ランプ５の軸方向両側に要するスペースが僅かで済み、これにより、円筒パイプ３の全軸方向領域から光を照射することができるようになっている。
【００３４】
また、この照明器具１では、T-4型若しくはT-5型のような径の比較的小さい蛍光ランプを用いることで、径の小さい円筒パイプ３を採用することが可能となることから、照明器具１全体として径の細いものを得られるとともに、蛍光ランプ５及び円筒パイプ３等の材料費を抑えることができ、省資源に資することにもなり、また、重量も軽量化することができる。さらに、T-4型若しくはT-5型の蛍光ランプ５を用いることで、従来のように３２ｍｍの管径の蛍光ランプを用いた場合に比べ、消費電力が約１／３になり、省エネルギーに資することにもなる。
【００３５】
さらに、この照明器具１では、蛍光ランプ５は、電子安定器を採用しているため、従来の銅鉄型安定器を採用した照明器具に比べ、発熱量が少なく、また、電子安定器自体の重量が軽量なことから、全体としても軽量である。
【００３６】
また、この照明器具１では、電子安定器内蔵のソケット７を採用したことから、従来の銅鉄型安定器を採用した照明器具に比べ、部品点数が少なく、組立が容易で、配線も簡易なものとなっている。
【００３７】
さらに、この照明器具１では、スポンジ部材９を用いたことにより、落下したときの衝撃等により外力が作用しても、蛍光ランプの破損等を免れることができるとともに、スポンジの吸水性を利用して、内部に水分が進入するのを抑え、防水効果を得ることができる。
【００３８】
また、この照明器具１では、スポンジストッパー１１によって、スポンジ部材９からの反発力が蛍光ランプ５に均一に伝わるとともに、スポンジ部材９の端面の一部が凹むことがなくなる。さらに、スポンジストッパー１１によって、蛍光ランプ５からの熱が直接スポンジ部材９に伝わるのを防ぐことができ、スポンジ部材９の耐熱性を補うことができる。
【００３９】
［他の実施形態］
（ａ）弾性部材は、スポンジに限定されず、ゴム、バネ等の他の材質が採用されても良い。
【００４０】
（ｂ）蛍光ランプは、上記T-4型若しくはT-5型のものに限定されないが、その場合でも、電子安定器内蔵型ソケットと共に使用可能なものが好ましい。
【図面の簡単な説明】
【００４１】
【図１】本考案の一実施形態が採用された照明器具を示す外観図。
【図２】前記照明器具を示す縦断面図。
【図３】前記照明器具の要部を示す縦断面図。
【図４】前記照明器具のスポンジストッパー（図２において左方のもの）を示す正面図。
【図５】前記スポンジストッパーを示す側面図。
【符号の説明】
【００４２】
１  照明器具
３  円筒パイプ（カバー部材）
５  蛍光ランプ
７  ソケット
９  スポンジ部材（弾性部材）
１１  スポンジストッパー（緩衝板）
【図１】
0003109924.tif 000003
【図２】
0003109924.tif 000004
【図３】
0003109924.tif 000005
【図４】
0003109924.tif 000006
【図５】
0003109924.tif 000007